(57)【要約】【課題】インテリアの装飾を取り替える装飾ボードを提供する。【解決手段】  装飾ボード１は、装飾が施された装飾シート１０が着脱可能に取り付けられる装飾面２ａを有するボード本体２を有し、そのボード本体２の上端には本体を吊下げるためのフック３が取り付けられている。フック３を用いてボード本体２を吊り下げ、装飾面２ａを立てることで、インテリアを飾る装飾ボードとして機能し、装飾シート１０を装飾面２ａに着脱可能に取り付けることでインテリアの装飾を自在に取り替えることができる。【選択図】図１
0003191645.tif 000002
【実用新案登録請求の範囲】
【請求項１】
インテリアの装飾を取り替える装飾ボードであって、
前記装飾が施された装飾具が着脱可能に取り付けられる装飾面を有するボードと、
前記ボードを吊り下げる吊り下げ具と、
を備える装飾ボード。
【請求項２】
前記装飾具は、前記装飾が一面に施されたシート状部材であり、該シート状部材を粘着剤及び透明のカバー部材のいずれかを用いて前記装飾面に取り付けることを特徴とする、請求項１に記載の装飾ボード。
【請求項３】
前記装飾具は、前記装飾が一面に施された織布であり、該織布に設けられたハトメを用いて前記装飾面に留めることを特徴とする、請求項１に記載の装飾ボード。
【請求項４】
前記ボードは、前記装飾具と異なる用途別部材を着脱可能に取り付ける取付部材を有することを特徴とする、請求項１〜３のいずれか一項に記載の装飾ボード。
【請求項５】
前記ボードは、前記装飾面の裏に別の装飾面を有することを特徴とする、請求項１〜４のいずれか一項に記載の装飾ボード。
【考案の詳細な説明】
【技術分野】
【０００１】
本考案は、インテリアの装飾を取り替える装飾ボードに関する。
【背景技術】
【０００２】
家屋の内部等、日々を過ごす居住空間において、インテリアを楽しみたいというニーズがある。例えば、特許文献１には、ガラス窓等に透光性化粧シートを接着せしめた装飾板が開示されている。これに対して、季節に合わせて、利用者の趣味に合わせて、子供の成長に合わせて、或いはライフスタイルに合わせて居住空間の雰囲気を自在に変えることのできるシステムが求められている。
【先行技術文献】
【特許文献】
【０００３】
【特許文献１】特開２００１−３１０４０８号公報
【考案の概要】
【考案が解決しようとする課題】
【０００４】
本考案は、インテリアの装飾を取り替える装飾ボードを提供することを課題とする。
【課題を解決するための手段】
【０００５】
本考案は、インテリアの装飾を取り替える装飾ボードであって、装飾が施された装飾具が着脱可能に取り付けられる装飾面を有するボードと、ボードを吊り下げる吊り下げ具と、を備える装飾ボードである。
【０００６】
これによれば、吊り下げ具を用いてボードを吊り下げ、装飾面を立てることで、インテリアを飾る装飾ボードとして機能し、装飾具を装飾面に着脱可能に取り付けることでインテリアの装飾を自在に取り替えることができる。
【０００７】
本考案の装飾ボードは、装飾具は、装飾が一面に施されたシート状部材であり、このシート状部材を粘着剤及び透明のカバー部材のいずれかを用いて装飾面に取り付けることを特徴とする。
【０００８】
これによれば、装飾具をボードの装飾面に着脱可能に取り付けることができる。
【０００９】
本考案の装飾ボードは、装飾具は、装飾が一面に施された織布であり、この織布に設けられたハトメを用いて装飾面に留めることを特徴とする。
【００１０】
これによれば、装飾具をボードの装飾面に着脱可能に取り付けることができる。また、布であるので、汚れたら洗濯することができる。
【００１１】
本考案の装飾ボードは、ボードは、装飾具と異なる用途別部材を着脱可能に取り付ける取付部材を有することを特徴とする。
【００１２】
これによれば、各種の用途別部材を着脱可能にボードに取り付けることができる。
【００１３】
本考案の装飾ボードは、ボードは、装飾面の裏に別の装飾面を有することを特徴とする。
【００１４】
これによれば、装飾ボードが間仕切として機能する。
【考案の効果】
【００１５】
本考案の装飾ボードによれば、インテリアの装飾を自在に取り替えることが可能となる。
【図面の簡単な説明】
【００１６】
【図１】図１は、第１の実施形態に係る装飾ボードの構成を示す図である。
【図２】図２は、装飾シートの別の留め方を説明するための図である。
【図３】図３は、第２の実施形態に係る装飾ボードの構成を示す図である。
【図４】図４は、装飾ボードの変形構成を示す図である。
【考案を実施するための形態】
【００１７】
《第１の実施形態》
以下、本考案の第１の実施形態について説明する。
【００１８】
図１に、第１の実施形態に係る装飾ボード１の構成を示す。装飾ボード１は、一例として高さ１５００ｍｍ及び幅５８０ｍｍ（厚さ３０ｍｍ）の矩形状に成形された木製のボード本体２を有する。なお、ボード本体２は木製に限らず、樹脂、金属等の素材を用いて構成してもよい。
【００１９】
ボード本体２の表面（装飾面）２ａに、一面に装飾が施された装飾シート１０が取り付けられる。装飾シート１０は、織布、不織布、紙等から形成されたシート状部材であり、弱粘着性の粘着剤を用いて着脱可能に装飾面２ａに貼り付けられる。弱粘着性の粘着剤を用いることで、装飾シート１０を何度も交換することができる。この交換は特に熟練を要さず、多くの者が容易に行うことが出来る。なお、装飾シート１０の大きさは、装飾面２ａに貼り付ける（取り付ける）ことができるよう装飾面２ａより小さいものとする。
【００２０】
ボード本体２の上端には、２つのフック３が取り付けられている。フック３にワイヤ等をかけ、例えば室内の壁面際の天井に設けられたピクチャーレール９に吊るすことで、装飾ボード１（装飾面２ａ）が室内に立てられる。ここで、ピクチャーレール９に吊るすことで、装飾ボード１をレールに沿って移動することもできる。ボード本体２がインテリアを飾る装飾ボードとして機能し、室内の壁面が装飾される。
【００２１】
なお、ボード本体２の下端に、その下端を床面に固定するアジャスタを設けてもよい。これにより、ボード本体２（装飾ボード１）を、その荷重を分散して安定に立てることができる。
【００２２】
以上説明したように、本実施形態の装飾ボード１は、装飾が施された装飾シート１０が着脱可能に取り付けられる装飾面２ａを有するボード本体２を有し、そのボード本体２の上端には本体を吊下げるためのフック３が取り付けられている。それにより、フック３を用いてボード本体２を吊り下げ、装飾面２ａを立てることで、インテリアを飾る装飾ボードとして機能し、装飾シート１０を装飾面２ａに着脱可能に取り付けることでインテリアの装飾を自在に取り替えることができる。
【００２３】
なお、粘着剤を用いて装飾シート１０をボード本体２の装飾面２ａに貼り付けるに限らず、図２に示すように、装飾シート１０の周囲複数個所（この例では６か所）にハトメ加工を施し、そのハトメ１０ａに鋲等の固定具（不図示）を通して、ボード本体２に刺し入れることで、装飾シート１０を着脱可能に装飾面２ａに取付けることとしてもよい。
【００２４】
ハトメによる取り付け方は、特に装飾シート１０が織布である場合に有効である。なお、ハトメは、装飾シート１０の四隅の近傍の４か所に設けることとしてもよい。また、織布である装飾シート１０は、汚れたら洗濯することができる。通常の壁紙と相違しクリーンな状態に保つことができる。
【００２５】
《第２の実施形態》
以下、本考案の第２の実施形態について説明する。
【００２６】
図３に、第２の実施形態に係る装飾ボード１の構成を示す。装飾ボード１は、ボード本体２とカバー４とを有する。なお、ボード本体２の構成は、第１の実施形態におけるそれと同じである。カバー４は、一例として透明のアクリルから構成されている。なお、透明であれば、如何なる素材から構成してもよい。カバー４の大きさは装飾面２ａに等しい大きさとする。ただし、装飾シート１０を取り付けることができる任意の大きさにしてもよい。カバー４の周囲には、６の孔部４ａが設けられている。
【００２７】
装飾シート１０は、カバー４を用いて着脱可能に装飾面２ａに取付けられる。すなわち、装飾面２ａとカバー４との間に装飾シート１０を挟み、鋲等の固定具（不図示）をカバー４の孔部４ａに通してボード本体２に刺し込んで、カバー４をボード本体２に固定する。固定具を取り外すことで、カバー４がボード本体２から外される。それにより、装飾シート１０を何度も交換することができる。
【００２８】
以上説明したように、本実施形態の装飾ボード１は、装飾が施された装飾シート１０が着脱可能に取り付けられる装飾面２ａを有するボード本体２と、装飾シート１０を装飾面２ａに取付けるカバー４と、を有する。カバー４を用いて装飾シート１０を着脱可能に装飾面２ａに取付けることができ、インテリアの装飾を自在に取り替えることができる。
【００２９】
《実施形態の拡張１》
第１及び第２の実施形態の装飾ボード１のそれぞれにおいて、ボード本体２の裏面にも別の装飾面を設けてもよい。フック３にワイヤ等をかけ、例えば室内の天井面に設けられたレール等に吊るすことで、装飾ボード１が室内を区画する間仕切りとして機能する。
【００３０】
間仕切りの両側の面のそれぞれについて、装飾シート１０を個別に交換することができるので、例えば幼稚園、病院等の間仕切りとして活用がしやすい。
【００３１】
《実施形態の拡張２》
第１及び第２の実施形態の装飾ボード１において、図４に示すように、ボード本体２の側面に複数の孔部２ｂを設け、装飾シート１０と異なる用途の用途別部材５ａ，５ｂを着脱可能に所望の位置（高さ）に取り付けることとしてもよい。孔部２ｂは、一例として１００ｍｍ間隔でボード本体２の側面に設けることとする。用途別部材５ａ，５ｂには、左右両側にそれぞれ２以上の固定部材（突起部等、不図示）が設けられ、その固定具を孔部２ｂに差し入れることで、用途別部材５ａ，５ｂがボード本体２に固定される。或いは、複数の孔部２ｂのそれぞれに雌ねじ２ｂ（図に白丸で示す）が形成され、用途別部材５ａ，５ｂに形成された穴部（不図示）を介して雄ねじ２ｃ（図に黒丸で示す）を螺入することで、用途別部材５ａ，５ｂをボード本体２に固定することとしてもよい。
【００３２】
用途別部材５ａ，５ｂを孔部２ｂに固定する箇所を、左右両側にそれぞれ２以上設けることで、用途別部材５ａ，５ｂに外からかかる力に対して安定して固定することができる。また、孔部２ｂが、一例として１００ｍｍの一定の間隔で設けられているので、用途別部材５ａ，５ｂを任意の孔部を選択して使用者の好む位置に取り付けることができる。そして、全ての用途別部材の固定箇所（固定部材又は穴部）の間隔を一定の間隔で設計することができる。
【００３３】
図４において、用途別部材５ａはタオル等を掛けることのできる棒状部材であり、用途別部材５ｂは置物を置くことのできる板状部材である。これらに限らず、箱棚、書棚（書籍を立ててディスプレイするパーツ）、写真を背景としたフォトクロック等、多彩な用途及び形状の用途別部材を取り付けることができる。それによりインテリアの装飾をより自在に取り替えることが可能となる。
【産業上の利用可能性】
【００３４】
本考案の装飾ボードは、インテリアの装飾を自在に取り替えるのに好適である。多くの個人による利用が考えられる。
【符号の説明】
【００３５】
１      装飾ボード
２      ボード本体
２ａ    装飾面
２ｂ    孔部
３      フック
４      カバー
４ａ    孔部
５ａ    用途別部材
５ｂ    用途別部材
９      ピクチャーレール
１０    装飾シート
１０ａ  ハトメ
【図１】
0003191645.tif 000003
【図２】
0003191645.tif 000004
【図３】
0003191645.tif 000005
【図４】
0003191645.tif 000006